(57)【要約】【課題】光源のＣＯＤの発生を抑制する。【解決手段】光源装置は、複数の第１の光源ＲＬＤと、該複数の第１の光源に対する制御を行う制御手段１，３と、複数の第１の光源のそれぞれの異常を検出する検出手段４とを有する。制御手段は、複数の第１の光源を点灯させるように駆動している際に検出手段によりいずれかの第１の光源の異常が検出された場合は、異常が検出されていない第１の光源の発光量を低下させる制御を行う。【選択図】図１
2020034614.tif 000002
【特許請求の範囲】
【請求項１】
複数の第１の光源と、
前記複数の第１の光源に対する制御を行う制御手段と、
前記複数の第１の光源のそれぞれの異常を検出する検出手段とを有し、
前記制御手段は、前記複数の第１の光源を点灯させるように駆動している際に前記検出手段によりいずれかの前記第１の光源の異常が検出された場合は、異常が検出されていない前記第１の光源の発光量を低下させる制御を行うことを特徴とする光源装置。
【請求項２】
前記制御手段は、前記異常が検出されていない前記第１の光源に供給する駆動電流を減少させることを特徴とする請求項１に記載の光源装置。
【請求項３】
前記制御手段は、前記異常が検出されていない前記第１の光源の温度を上げる制御を行うことを特徴とする請求項１に記載の光源装置。
【請求項４】
前記複数の第１の光源を冷却する冷却手段を有しており、
前記制御手段は、前記異常が検出されていない前記第１の光源の温度を上げるために、前記冷却手段による冷却を弱めることを特徴とする請求項３に記載の光源装置。
【請求項５】
前記複数の第１の光源は互いに同じ波長の光を発し、
前記複数の第１の光源とは異なる波長の光を発する第２の光源を有しており、
前記制御手段は、前記異常が検出されていない前記第１の光源の温度を上げるために、前記第２の光源の温度を上げる制御を行うことを特徴とする請求項３に記載の光源装置。
【請求項６】
前記制御手段は、前記第２の光源の温度を上げるために、該第２の光源に供給する駆動電流を増加させることを特徴とする請求項５に記載の光源装置。
【請求項７】
前記複数の第１の光源は互いに同じ波長の光を発し、
前記複数の第１の光源とは異なる波長の光を発する第２の光源を有しており、
前記制御手段は、前記異常が検出されていない前記第１の光源の発光量を低下させる制御を行うとともに、前記第２の光源の発光量を低下させる制御を行うことを特徴とする請求項１から４のいずれか一項に記載の光源装置。
【請求項８】
前記検出手段は、前記複数の第１の光源のそれぞれの駆動電流に対する印加電圧、発光量および温度のうちいずれか１つを用いて前記異常を検出することを特徴とする請求項１から７のいずれか一項に記載の光源装置。
【請求項９】
請求項１から８のいずれか一項に記載の光源装置と、
該光源装置からの光を変調する光変調部とを有し、
前記光変調部からの光を被投射面に投射して画像を表示することを特徴とする画像投射装置。
【請求項１０】
前記異常が発生していない前記第１の光源の発光量を低下させる制御が行われた場合に、前記画像の色を調整するよう前記光変調部を制御する光変調制御手段を有することを特徴する請求項９に記載の画像投射装置。
【請求項１１】
複数の第１の光源を有する光源装置の制御方法であって、
前記複数の第１の光源を点灯させるように駆動している際に前記複数の第１の光源のうちいずれかの異常を検出するステップと、
前記第１の光源の異常が検出された場合は、異常が検出されていない前記第１の光源の発光量を低下させる制御を行うステップとを有することを特徴とする光源装置の制御方法。
【請求項１２】
複数の第１の光源を有する光源装置のコンピュータに、請求項１１に記載の制御方法に従う処理を実行させることを特徴とするコンピュータプログラム。
【発明の詳細な説明】
【技術分野】
【０００１】
本発明は、液晶プロジェクタ等の画像投射装置に好適な光源装置に関する。
【背景技術】
【０００２】
光源から発せられた光を、液晶パネル等の光変調素子により画像変調してスクリーン等の被投射面に投射する画像投射装置（以下、プロジェクタという）には、光源としてレーザダイオード（ＬＤ）を用いるものがある。このようなプロジェクタには、特許文献１にて開示されているように、互いに異なる波長の光を発する複数のＬＤ（青色ＬＤと赤色ＬＤ）を用いるものがある。
【先行技術文献】
【特許文献】
【０００３】
【特許文献１】特開２０１６−２２４３０４号公報
【発明の概要】
【発明が解決しようとする課題】
【０００４】
ただし、赤色ＬＤには、青色ＬＤに比べて、特に温度が低いときに光学損傷（ＣＯＤ：Catastrophic Optical Damage）を引き起こしやすいという性質がある。また、複数の赤色ＬＤを使用する光源装置において、ある赤色ＬＤに異常が発生すると、該赤色ＬＤに駆動電流を供給しても発光および発熱しなくなり、この異常な赤色ＬＤに隣接している正常な赤色ＬＤの温度が低下する。この結果、その正常な赤色ＬＤにもＣＯＤが発生するおそれがある。
【０００５】
本発明は、赤色ＬＤ等の光源のＣＯＤの発生を抑制することが可能な光源装置およびプロジェクタを提供する。
【課題を解決するための手段】
【０００６】
本発明の一側面としての光源装置は、複数の第１の光源と、該複数の第１の光源に対する制御を行う制御手段と、複数の第１の光源のそれぞれの異常を検出する検出手段とを有する。制御手段は、複数の第１の光源を点灯させるように駆動している際に検出手段によりいずれかの第１の光源の異常が検出された場合は、異常が検出されていない第１の光源の発光量を低下させる制御を行うことを特徴とする。
【０００７】
なお、上記光源装置を用いた画像投射装置も、本発明の他の一側面を構成する。
【０００８】
また、本発明の他の一側面としての制御方法は、複数の第１の光源を有する光源装置に適用される。該制御方法は、複数の第１の光源を点灯させるように駆動している際に複数の第１の光源のうちいずれかの異常を検出するステップと、第１の光源の異常が検出された場合は、異常が検出されていない第１の光源の発光量を低下させる制御を行うステップとを有することを特徴とする。
【０００９】
なお、上記制御方法に従う処理を光源装置のコンピュータに実行させるコンピュータプログラムも、本発明の他の一側面を構成する。
【発明の効果】
【００１０】
本発明によれば、いずれかの第１の光源に異常が生じた場合に、異常が生じていない第１の光源におけるＣＯＤの発生を抑制することができる。
【図面の簡単な説明】
【００１１】
【図１】本発明の実施例１であるプロジェクタの構成を示す図。
【図２】実施例１における複数のＬＤの配置を示す図。
【図３】実施例１のプロジェクタで行われるフェイルセーフ処理を示すフローチャート。
【図４】本発明の実施例２であるプロジェクタの構成を示す図。
【図５】実施例２のプロジェクタで行われるフェイルセーフ処理を示すフローチャート。
【図６】本発明の実施例３であるプロジェクタの構成を示す図。
【図７】実施例３のプロジェクタで行われるフェイルセーフ処理を示すフローチャート。
【図８】本発明の実施例４であるプロジェクタで行われるフェイルセーフ処理を示すフローチャート。
【図９】本発明の実施例５であるプロジェクタで行われるフェイルセーフ処理を示すフローチャート。
【図１０】本発明の実施例６であるプロジェクタで行われるフェイルセーフ処理を示すフローチャート。
【図１１】本発明の実施例７である光源装置を示す図。
【発明を実施するための形態】
【００１２】
以下、本発明の実施例について図面を参照しながら説明する。
【実施例１】
【００１３】
図１は、本発明の実施例１である画像投射装置としてのプロジェクタの構成を示している。以下の説明において、Ｒ、Ｇ、Ｂはそれぞれ、赤、緑、青の意味である。１はシステム制御部、３は駆動電流算出部、４は光源駆動部である。５ｂａ，５ｂｂ，５ｂｃはＢ光源であり、５ｒｄはＲ光源である。６ｂはＢ光源用ヒートシンク、６ｒはＢＲ光源用ヒートシンク、７ｂはＢ光源用冷却部、７ｒはＢＲ光源用冷却部、８は冷却制御部である。
【００１４】
９ｂａ，９ｂｂ，９ｂｃはＢ用コリメートレンズであり、９ｒｄはＲ用コリメートレンズｄである。１０は第１のレンズ、１１は第２のレンズ、１３は光反射部材、１４はガラス板、１５は第３のレンズである。１６は蛍光体、１７は蛍光体支持部材、１８はモータ、１９はモータ制御部である。２１ａは第１のフライアイレンズ、２１ｂは第２のフライアイレンズ、２２は偏光変換素子、２３は第４のレンズである。
【００１５】
２４はダイクロイックミラー、２５は波長選択性位相板、２６ＲＢはＲＢ用偏光ビームスプリッタ、２６ＧはＧ用偏光ビームスプリッタ、２７ＲはＲ用λ／４板、２７ＧはＧ用λ／４板、２７ＢはＢ用λ／４板である。２８ＲはＲ用光変調部、２８ＧはＧ用光変調部、２８ＢはＢ用光変調部である。３０は色合成プリズム、３２は投射レンズである。
【００１６】
駆動電流算出部３は、システム制御部１からの指示に応じてＢ光源５ｂａ，５ｂｂ，５ｂｃおよびＲ光源５ｒｄの駆動電流を算出する。光源駆動部４は、駆動電流算出部３により算出された各駆動電流を各光源に供給してこれを駆動する。システム制御部１および駆動電流算出部３は、制御手段を構成する。
【００１７】
Ｂ光源５ｂａ，５ｂｂ，５ｂｃは、Ｂ光（青光）を発する互いに同じ半導体レーザダイオード（第２の光源：以下、ＢＬＤという）をそれぞれ複数用いて構成されている。Ｂ光源５ｂａ，５ｂｂ，５ｂｃのピーク波長は、例えば４５５ｎｍである。Ｒ光源５ｒｄは、Ｒ光（赤光）を発する互いに同じ半導体レーザダイオード（第１の光源：以下、ＲＬＤという）を複数用いて構成されている。Ｒ光源５ｒｄのピーク波長は、例えば６３５ｎｍである。Ｂ光源５ｂａ，５ｂｂは、Ｂ光源用ヒートシンク６ｂに取り付けられている。Ｂ光源５ｂｃとＲ光源５ｒｄは、伝熱部材としてのＢＲ光源用ヒートシンク６ｒに取り付けられている。各ヒートシンクとしては、放熱フィンが設けられた銅板等が用いられる。各光源と各ヒートシンクは、熱伝導シート等の伝熱部材で密着されていることが好ましい。
【００１８】
Ｂ光源用ヒートシンク６ｂとＢＲ光源用ヒートシンク６ｒの背面にはそれぞれ、冷却ファンにより構成されるＢ光源用冷却部（以下、Ｂ光源用冷却ファンという）７ｂとＢＲ光源用冷却部（冷却手段：以下、ＢＲ光源用冷却ファンという）７ｒが配置されている。Ｂ光源用冷却ファン７ｂおよびＢＲ光源用冷却ファン７ｒのそれぞれからの冷却風によってＢ光源用ヒートシンク６ｂおよびＢＲ光源用ヒートシンク６ｒが冷却される。Ｂ光源用冷却ファン７ｂとＢＲ光源用冷却ファン７ｒの回転数は、システム制御部１の指示に基づいて冷却制御部８によって制御される。図１においてＢ光源用冷却ファン７ｂとＢＲ光源用冷却ファン７ｒから出ている矢印の向きは、冷却風の向きを示している。
【００１９】
ＢＲ光源用ヒートシンク６ｒは、Ｂ光源５ｂｃが発した熱をＲ光源５ｒｄに伝達する。また、ＢＲ光源用ヒートシンク６ｒは、Ｂ光源５ｂｃおよびＲ光源５ｒｄのそれぞれが発した熱を平均化する。ＢＲ光源用ヒートシンク６ｒをＲ光源用冷却ファン７ｒにより冷却することで、Ｂ光源５ｂｃとＲ光源５ｒｄを同時に冷却することができる。
【００２０】
Ｂ光源５ｂａ，５ｂｂ，５ｂｃから発せられたＢ光はそれぞれ、Ｂ用コリメートレンズ９ｂａ，９ｂｂ，９ｂｃに入射する。Ｒ光源５ｒｄから発せられたＲ光は、Ｒ用コリメートレンズ９ｒｄに入射する。各コリメートレンズは、各光源からの光を略平行光に変換する。図１における各光源からの矢印の向きは、光の光路と進行方向を表している。このことは以降の光路においても同様である。
【００２１】
各コリメートレンズから出射した光は、第１のレンズ１０および第２のレンズ１１に入射して励起光１２として出射する。第１のレンズ１０と第２のレンズ１１は、各コリメートレンズから出射した光の光束径を調整する役割を有する。
【００２２】
励起光１２は、ガラス板１４の表面に設けられた光反射部材１３で反射され、第３のレンズ１５を介して蛍光体１６に照射される。光反射部材１３は、ガラス板１４の表面のうち励起光１２が照射される部分にのみ設けられている。また、第３のレンズ１５は、励起光１２を集光して蛍光体１６上に所定サイズの光照射領域を形成する。
【００２３】
蛍光体１６の材料は、例えばＹＡＧ：Ｃｅである。蛍光体１６は、モータ１８の回転軸を中心とした円周方向に設けられ、蛍光体支持部材１７によって支持されている。蛍光体支持部材１７の材料は、典型的にはアルミ等の金属板である。ただし、金属板と同様な機能を有するものであれば、金属板に限られない。モータ１８は、蛍光体１６からの放熱を効率的に行うために、蛍光体１６および蛍光体支持部材１７を回転させる。モータ１８の回転数は、システム制御部１の指示に応じてモータ制御部１９により制御される。
【００２４】
蛍光体１６は、励起光１２のうちＢ光の一部を波長変換して黄色の蛍光光を発生させる。蛍光光と蛍光体１６により波長変換されなかったＢの励起光（非変換光）とＲ光とが合成されて白色（Ｗ）光としての照明光２０が生成される。
【００２５】
照明光２０は、第３のレンズ１５に入射して略平行光に変換される。第３のレンズ１５を透過した照明光２０は、さらにガラス板１４のうち光反射部材１３以外の部分を透過して、第１のフライアイレンズ２１ａおよび第２のフライアイレンズ２１ｂを透過することで複数の光束に分割されて偏光変換素子２２に入射する。偏光変換素子２２は、無偏光光である照明光２０を特定の１つの偏光方向を有する直線偏光に変換する。一般に、ＬＤからの光束は直線偏光光であるが、蛍光体１６からの照明光２０は無偏光光になっている。このため、後述する偏光ビームスプリッタでの偏光分離を効率良く行うために、偏光変換素子２２を設けることで直線偏光（図１の紙面に垂直な偏光方向を有するＳ偏光）に変換する。
【００２６】
偏光変換素子２２から出射した照明光２０としての複数の光束は、第４のレンズ２３により集光されて３つの光変調部２８Ｒ，２８Ｇ，２８Ｂ上にて重ね合わせられる。これにより、各光変調部は均一に照明される。
【００２７】
第４のレンズ２３を透過した照明光２０は、ダイクロイックミラー２４に導かれる。ダイクロイックミラー２４は、照明光２０のうちＲＢ光２０ＲＢを反射し、Ｇ光２０Ｇを透過させる。ダイクロイックミラー２４を透過したＳ偏光のＧ光２０Ｇは、Ｇ用偏光ビームスプリッタ２６Ｇに入射してその偏光分離面で反射され、Ｇ用光変調部２８Ｇに到達する。ここで、Ｇ用光変調部２８Ｇは、デジタル駆動式の反射型液晶表示素子であり、Ｇ光２０Ｇを変調するための原画を形成する。システム制御部１は、外部からの入力映像信号に応じてＧ用光変調部２８Ｇに原画を形成させるようにこれを駆動する。この際、システム制御部１は、Ｇ用光変調部２８Ｇの各画素を各フレーム期間内にＯＮ／ＯＦＦ駆動し、該ＯＮ／ＯＦＦ駆動のデューティを制御することによりＧ用光変調部２８Ｇに複数の階調を表現させる。これらのことは、Ｒ用光変調部２８ＲとＢ用光変調部２８Ｂも同様である。
【００２８】
Ｇ用光変調部２８Ｇは、Ｇ光２０Ｇを原画に応じて変調するとともに反射する。これにより、Ｇ用光変調部２８Ｇから変調光２９Ｇが出射する。変調光２９ＧのうちＳ偏光成分は、Ｇ用偏光ビームスプリッタ２６Ｇの偏光分離面で反射され、光源側に戻され、投射光から除去される。一方、変調光２９ＧのうちＰ偏光成分は、Ｇ用偏光ビームスプリッタ２６Ｇの偏光分離面を透過する。このとき、全ての偏光成分をＳ偏光に変換した状態（以下、全黒表示状態という）において、λ／４板２７Ｇの遅相軸または進相軸をＧ用偏光ビームスプリッタ２６Ｇへの入射光軸と反射光軸を含む平面に垂直な方向に調整する。これにより、Ｇ用偏光ビームスプリッタ２６ＧとＧ用光変調部２８Ｇで発生する偏光状態の乱れの影響を小さく抑えることができる。Ｇ用偏光ビームスプリッタ２６Ｇから出射した変調光２９Ｇは、色合成プリズム３０に入射する。
【００２９】
ダイクロイックミラー２４で反射されたＲＢ光２０ＲＢは、波長選択性位相板２５に入射する。波長選択性位相板２５は、Ｒ光をその偏光方向を９０度回転させることでＰ偏光に変換し、Ｂ光をその偏光方向を回転させることなくＳ偏光として透過させる。波長選択性位相板２５を透過したＲＢ光２０ＲＢは、ＲＢ用偏光ビームスプリッタ２６ＲＢに入射する。
【００３０】
ＲＢ用偏光ビームスプリッタ２６ＲＢは、Ｐ偏光であるＲ光２０Ｒを透過し、Ｓ偏光であるＢ光２０Ｂを反射する。ＲＢ用偏光ビームスプリッタ２６ＲＢの偏光分離面を透過したＲ光２０Ｒは、Ｒ用光変調部２８Ｒで変調および反射されて変調光２９Ｒとして出射する。変調光２９ＲのうちＰ偏光成分は、ＲＢ用偏光ビームスプリッタ２６ＲＢの偏光分離面を透過して光源側に戻され、投射光から除去される。一方、変調光２９ＲのうちＳ偏光成分は、ＲＢ用偏光ビームスプリッタ２６ＲＢの偏光分離面で反射されて色合成プリズム３０に入射する。
【００３１】
ＲＢ用偏光ビームスプリッタ２６ＲＢの偏光分離面で反射されたＢ光２０Ｂは、Ｂ用光変調部２８Ｂで変調および反射されて変調光２９Ｂとなる。変調光２９ＢのうちＳ偏光成分は、ＲＢ用偏光ビームスプリッタ２６ＲＢの偏光分離面で反射されて光源側に戻され、投射光から除去される。一方、変調光２９ＢのうちＰ偏光成分は、ＲＢ用偏光ビームスプリッタ２６ＲＢの偏光分離面を透過して色合成プリズム３０に入射する。このとき、λ／４板２７Ｒ，２７Ｂの遅相軸をＧ用のλ／４板２７Ｇと同様に調整することにより、ＲとＢそれぞれの全黒表示状態の調整を行うことができる。こうして１つの光束に合成されてＲＢ用偏光ビームスプリッタ２６ＲＢから出射したＲＢ光２９ＲＢは、色合成プリズム３０に入射する。
【００３２】
色合成プリズム３０は、ＲＢ光２０ＲＢを透過してＧ光２９Ｇを反射することでこれらを合成して投射光３１を生成する。投射光３１は、投射レンズ３２を介してスクリーン等の不図示の被投射面に拡大投射される。これにより、投射画像としてのカラー画像が表示される。なお、図１に示した光路は、本プロジェクタが全白画像を表示しているときのものである。以下の実施例でも、特に断りがない限り、プロジェクタは全白画像を表示しているものとする。
【００３３】
図２は、Ｂ光源５ｂｃとＲ光源５ｒｄのそれぞれに含まれる複数のＬＤの配置を示している。Ｂ光源５ｂｃは、３×３のマトリックス状に互いに隣接して配置された複数（９個）のＢＬＤを含む。また、Ｒ光源５ｒｄは、３×３のマトリックス状に互いに隣接して配置された複数（９個）のＲＬＤを含む。これら複数のＢＬＤおよび複数のＲＬＤが、同じＢＲ光源用ヒートシンク６ｒに取り付けられている。また、複数のＢＬＤおよび複数のＲＬＤのそれぞれに駆動電流を供給する光源駆動部４は、検出手段として、ＬＤごとの印加電圧（駆動電圧ともいう）を検出することができる。駆動電流算出部３は、光源駆動部４が検出した印加電圧に応じて、各ＬＤに供給する駆動電流を調整することができる。
【００３４】
ここで、Ｒ光源５ｒｄにおいて複数のＲＬＤのうち少なくとも１つに異常（故障）が生じると、該異常なＲＬＤに隣接する正常なＲＬＤにＣОＤが生じやすくなるメカニズムについて説明する。ＲＬＤに駆動電流が供給されるとその駆動電流の電子が光に変換されて発光が生じるが、光に変換されるのは供給された電子の一部であり、多くのエネルギー損失が生じて熱に変換される。このため、ヒートシンクや冷却ファン等の冷却手段を用いて、ＲＬＤを冷却する必要がある。
【００３５】
ところが、ＲＬＤにおける電流供給回路にショート等の異常が発生し、駆動電流を供給してもその異常なＲＬＤが発光せず、熱も発生しなくなる場合がある。ＲＬＤから熱が発生しなくなることで、冷却手段による冷却度合いが相対的に強くなり、この結果、異常なＲＬＤに隣接する正常なＲＬＤの温度が低下する。正常なＲＬＤの温度が低下すると、そのＲＬＤの発光量が増加してＣＯＤが発生し易くなる。
【００３６】
このため、本実施例では、異常なＲＬＤに隣接する正常なＲＬＤの発光量（光出力）を、その温度が低下することで増加した発光量よりも低下させる制御を行う。
【００３７】
図３のフローチャートは、本実施例においてシステム制御部１（および駆動電流算出部３）が行うフェイルセーフ処理を示している。システム制御部１は、コンピュータプログラムに従って本処理を実行する。以下の説明において、「Ｓ」はステップを意味する。
【００３８】
ユーザがプロジェクタに設けられた電源ボタンまたはリモートコントローラに設けられた電源ボタンを操作することによりプロジェクタの電源が投入されると、システム制御部１は、Ｂ光源５ｂａ，５ｂｂ，５ｂｃおよびＲ光源５ｒｄを点灯させるための光源点灯処理を行う。光源点灯処理の終了後、システム制御部１は本フェイルセーフ処理を開始する。
【００３９】
システム制御部１は、Ｓ１において、検出手段としての光源駆動部４にＲ光源５ｒｄの複数のＲＬＤのそれぞれの印加電圧（以下、単に電圧という）を検出させる。
【００４０】
次にＳ２では、システム制御部１は、複数のＲＬＤのうちいずれかの電圧が所定値より低いか否かを判定する。システム制御部１は、すべてのＲＬＤの電圧が所定値以上であれば、すべてのＲＬＤが正常であるとしてＳ３に進み、そのまますべてのＲＬＤの点灯を継続してＳ１に戻る。
【００４１】
一方、電圧が所定値より低いＲＬＤがあれば、システム制御部１は、そのＲＬＤに異常が生じたものとみなしてＳ４に進む。異常が生じたＲＬＤにおいては、同じ駆動電流を供給しても印加される電圧が低下するため、電圧を通じてＲＬＤに異常が発生したことを検出することが可能となる。
【００４２】
Ｓ４では、システム制御部１は、駆動電流算出部３に、異常が発生したＲＬＤ（以下、異常ＲＬＤという）に隣接配置されている異常が生じていない、すなわち正常なＲＬＤ（以下、正常ＲＬＤという）に供給する駆動電流を算出させる。この駆動電流の算出には、駆動電流算出部３に保存されている、隣接配置されている異常ＲＬＤの数に応じて駆動電流を調整するパラメータが用いられる。また、ここにいう異常ＲＬＤに隣接配置された正常ＲＬＤには、Ｒ光源５ｒｄのうち異常ＲＬＤを除くすべてのＲＬＤが含まれる。言い換えれば、隣接配置とは、異常ＲＬＤの温度低下の影響を受ける程度に近くに配置されたことを意味する。駆動電流の算出に駆動電流算出部３に保存されているパラメータが用いられることと、隣接配置の意味については後述する他の実施例でも同じである。
【００４３】
なお、システム制御部１は、駆動電流算出部３を通じて、異常ＲＬＤに供給する駆動電流を０に設定させる。
【００４４】
また、システム制御部１は、駆動電流算出部３に、正常ＲＬＤに供給する駆動電流として、異常ＲＬＤが発生する前よりも減少させた駆動電流を算出させる。さらに、正常ＲＬＤに供給する駆動電流を、正常ＲＬＤの温度や累積点灯時間等を用いて算出することより、最適な駆動電流（つまりは正常ＲＬＤの発光量および温度）を設定することができ、正常ＲＬＤにおけるＣＯＤの発生を抑制することができる。
【００４５】
次にＳ５では、システム制御部１は、Ｓ４で算出された駆動電流を光源駆動部４を介して正常ＲＬＤに供給する。そして、システム制御部１は、Ｓ３を介してＳ１に戻る。
【００４６】
本実施例によれば、異常ＲＬＤを検出した場合には、正常ＲＬＤに供給する駆動電流を減少させてその発光量を低下させることで、正常ＲＬＤにおけるＣＯＤの発生を抑制することができる。
【００４７】
なお、本実施例では、同一のＢＲ光源用ヒートシンク６ｒ上にＢ光源５ｂｃとＲ光源５ｒｄを配置した場合について説明したが、Ｂ光源の熱をヒートシンク以外のヒートパイプ等の伝熱部材を用いて伝達してもよい。
【実施例２】
【００４８】
次に、本発明の実施例２について説明する。図４には、実施例２のプロジェクタの構成を示している。本実施例のプロジェクタは、実施例１のプロジェクタに、Ｒ光源５ｒｄに含まれるＲＬＤのそれぞれの温度を検出する温度センサ４０を追加したものである。
【００４９】
図５のフローチャートは、本実施例においてシステム制御部１が行うフェイルセーフ処理を示している。実施例１と同様に、光源点灯処理の終了後、システム制御部１は本フェイルセーフ処理を開始する。
【００５０】
システム制御部１は、Ｓ１１において、検出手段としての温度センサ４０によりＲ光源５ｒｄの複数のＲＬＤのそれぞれの温度を検出する。
【００５１】
次にＳ１２では、システム制御部１は、複数のＲＬＤのうちいずれかの温度が所定値より低いか否かを判定する。システム制御部１は、すべてのＲＬＤの温度が所定値以上であれば、すべてのＲＬＤが正常であるとしてＳ１３に進み、そのまますべてのＲＬＤの点灯を継続してＳ１１に戻る。
【００５２】
一方、温度が所定値より低いＲＬＤがあれば、システム制御部１は、そのＲＬＤに異常が生じたものとみなしてＳ１４に進む。異常ＲＬＤにおいては、同じ駆動電流を供給しても発生する熱が少なくなるため、温度を通じてＲＬＤに異常が発生したことを検出することが可能となる。
【００５３】
Ｓ１４では、システム制御部１は、駆動電流算出部３に、異常ＲＬＤに隣接配置されている正常ＲＬＤに供給する駆動電流として、異常ＲＬＤが発生する前よりも減少させた駆動電流を算出させる。この際、正常ＲＬＤに供給する駆動電流を、正常ＲＬＤの電圧や累積点灯時間等を用いて算出することより、最適な駆動電流（つまりは正常ＲＬＤの発光量および温度）を設定することができ、正常ＲＬＤにおけるＣＯＤの発生を抑制することができる。なお、システム制御部１は、駆動電流算出部３を通じて、異常ＲＬＤに供給する駆動電流を０に設定させる。
【００５４】
次にＳ１５では、システム制御部１は、Ｓ１４で算出された駆動電流を光源駆動部４を介して正常ＲＬＤに供給する。そして、システム制御部１は、Ｓ１３を介してＳ１１に戻る。
【００５５】
本実施例でも、異常ＲＬＤを検出した場合には、正常ＲＬＤに供給する駆動電流を減少させてその発光量を低下させることで、正常ＲＬＤにおけるＣＯＤの発生を抑制することができる。
【００５６】
なお、本実施例では、温度センサ４０により検出したＲＬＤの温度が所定値より低いことで正常ＲＬＤの駆動電流を減少させる場合について説明した。しかし、Ｂ光源５ｂｃの温度やＢＲ光源用ヒートシンク６ｒの温度等、Ｒ光源５ｒｄに近接した構成要素の温度を検出して、それが所定値より低くなることに応じて正常ＲＬＤの駆動電流を減少させてもよい。
【００５７】
また、本実施例では、複数のＲＬＤのそれぞれに温度センサを設けそれぞれのＲＬＤの温度を検出できる温度センサ４０を用いる場合について説明した。しかし、１つの温度センサを用い、複数のＲＬＤを順番に１つずつ点灯させてその温度変化を測定し、温度が比例的に上昇すればそのＲＬＤは正常と判定し、温度上昇が非線形的である場合はそのＲＬＤに異常が発生したと判定してもよい。
【実施例３】
【００５８】
次に、本発明の実施例３について説明する。図６は、実施例３のプロジェクタの構成を示している。本実施例のプロジェクタは、実施例１のプロジェクタに、Ｒ光源５ｒｄに含まれるＲＬＤのそれぞれからの発光量を検出する検出手段としての光量センサ５０を追加したものである。光量センサ５０は、ＲＬＤから発せられる光のうち主光線から外れた光（漏れ光）を検出する。また、特定波長の光（例えば、Ｒ光）を選択的に透過するダイクロイックフィルタ５１を用いることで、Ｂ光の光量変化の影響を受けずに、複数のＲＬＤのそれぞれからの光量を検出することができる。
【００５９】
図７のフローチャートは、本実施例においてシステム制御部１が行うフェイルセーフ処理を示している。実施例１と同様に、光源点灯処理の終了後、システム制御部１は本フェイルセーフ処理を開始する。
【００６０】
システム制御部１は、Ｓ２１において、光量センサ５０によりＲ光源５ｒｄの複数のＲＬＤのそれぞれの発光量を検出する。
【００６１】
次にＳ２２では、システム制御部１は、複数のＲＬＤのうちいずれかの発光量が所定値より低いか否かを判定する。例えば、複数のＲＬＤを順番に１つずつ点灯させてその光量変化を測定し、光量が比例的に上昇すればそのＲＬＤは正常と判定し、光量変化が非線形的である場合はそのＲＬＤに異常が発生したと判定することができる。システム制御部１は、すべてのＲＬＤの発光量が所定値以上であれば、すべてのＲＬＤが正常であるとしてＳ２３に進み、そのまますべてのＲＬＤの点灯を継続してＳ２１に戻る。
【００６２】
一方、発光量が所定値より低いＲＬＤがあれば、システム制御部１は、そのＲＬＤに異常が生じたものとみなしてＳ２４に進む。異常ＲＬＤにおいては、同じ駆動電流を供給しても発光量が低下するため、発光量を通じてＲＬＤに異常が発生したことを検出することが可能となる。
【００６３】
Ｓ２４では、システム制御部１は、駆動電流算出部３に、異常ＲＬＤに隣接配置されている正常ＲＬＤに供給する駆動電流として、異常ＲＬＤが発生する前よりも減少させた駆動電流を算出させる。この際、正常ＲＬＤに供給する駆動電流を、正常ＲＬＤの温度や累積点灯時間等を用いて算出することより、最適な駆動電流（つまりは正常ＲＬＤの発光量および温度）を設定することができ、正常ＲＬＤにおけるＣＯＤの発生を抑制することができる。なお、システム制御部１は、駆動電流算出部３を通じて、異常ＲＬＤに供給する駆動電流を０に設定させる。
【００６４】
次にＳ２５では、システム制御部１は、Ｓ２４で算出された駆動電流を光源駆動部４を介して正常ＲＬＤに供給する。そして、システム制御部１は、Ｓ２３を介してＳ２１に戻る。
【００６５】
本実施例でも、異常ＲＬＤを検出した場合には、正常ＲＬＤに供給する駆動電流を減少させてその発光量を低下させることで、正常ＲＬＤにおけるＣＯＤの発生を抑制することができる。
【実施例４】
【００６６】
次に、本発明の実施例４について説明する。実施例４のプロジェクタの構成は、実施例１のプロジェクタと同じである。図８のフローチャートは、本実施例においてシステム制御部１が行う光源点灯処理を示している。実施例１と同様に、光源点灯処理の終了後、システム制御部１は本フェイルセーフ処理を開始する。
【００６７】
システム制御部１は、Ｓ３１において、実施例１のＳ１と同様に、Ｒ光源５ｒｄの複数のＲＬＤのそれぞれの電圧を検出する。
【００６８】
次にＳ３２では、システム制御部１は、実施例１のＳ２と同様に、複数のＲＬＤのうちいずれかの電圧が所定値より低いか否かを判定する。システム制御部１は、すべてのＲＬＤの電圧が所定値以上であれば、すべてのＲＬＤが正常であるとして、ＢＲ光源用冷却ファン７ｒの回転数を変更することなく、Ｓ３３に進み、そのまますべてのＲＬＤの点灯を継続してＳ１に戻る。
【００６９】
一方、電圧が所定値より低いＲＬＤがあれば、システム制御部１は、実施例１のＳ３と同様に、そのＲＬＤに異常が生じたものとみなしてＳ３４に進む。
【００７０】
Ｓ３４では、システム制御部１は、ＢＲ光源用冷却ファン７ｒの回転数を算出する。この際、システム制御部１は、ＢＲ光源用冷却ファン７ｒの回転数として、異常ＲＬＤが発生する前よりも低下させた回転数を算出する。この際、光源駆動部４は、ＢＲ光源用冷却ファン７ｒの回転数を、システム制御部１に保存されている、隣接配置されている異常ＲＬＤの数に応じて冷却ファンの回転数を調整するパラメータを用いて算出する。また、ＢＲ光源用冷却ファン７ｒの回転数を、正常ＲＬＤの温度や累積点灯時間等を用いて算出することより、最適な回転数（つまりは正常ＲＬＤの温度）を設定することができ、正常ＲＬＤにおけるＣＯＤの発生を抑制することができる。
【００７１】
なお、システム制御部１は、駆動電流算出部３を通じて、異常ＲＬＤに供給する駆動電流を０に設定させる。
【００７２】
次にＳ３５では、光源駆動部４は、Ｓ３４で算出した回転数でＢＲ光源用冷却ファン７ｒを回転させる。そして、システム制御部１は、Ｓ３３を介してＳ３１に戻る。
【００７３】
本実施例でも、異常ＲＬＤを検出した場合には、正常ＲＬＤを冷却するＢＲ光源用冷却ファン７ｒの回転数を低下させて正常ＲＬＤに対する冷却を弱めることで、正常ＲＬＤの温度低下によるＣＯＤの発生を抑制することができる。
【００７４】
なお、本実施例では、冷却手段としてＢＲ光源用冷却ファン７ｒを用いる場合について説明した。しかし、冷却手段としてペルチェ素子を用いる場合はそのペルチェ側に供給する電流を制御したり、液冷システムを用いる場合はその冷却液の流量を制御したりすることで、正常ＲＬＤに対する冷却を弱めることができる。
【００７５】
また、正常ＲＬＤの温度を上げる方法として、Ｂ光源５ｂｃの駆動電流を増加させてそこからの発熱量を増やす方法を用いてもよい。この場合、より好ましくはＢ光源５ｂａ，５ｂｂの駆動電流を減少させ、すべてのＢ光源５ｂａ，５ｂｂ，５ｂｃからの発光量を調整するとよい。これにより、光源装置からの出射光の色バランスを調整することができる。
【実施例５】
【００７６】
次に、本発明の実施例５について説明する。実施例５のプロジェクタの構成は、実施例１のプロジェクタと同じである。図９のフローチャートは、本実施例においてシステム制御部１が行う光源点灯処理を示している。
【００７７】
実施例１と同様に、光源点灯処理の終了後、システム制御部１は本フェイルセーフ処理を開始する。システム制御部１は、Ｓ４１において、実施例１のＳ２と同様に、Ｒ光源５ｒｄの複数のＲＬＤのそれぞれの電圧を検出する。
【００７８】
次にＳ４２では、システム制御部１は、実施例１のＳ２と同様に、複数のＲＬＤのうちいずれかの電圧が所定値より低いか否かを判定する。システム制御部１は、すべてのＲＬＤの電圧が所定値以上であれば、すべてのＲＬＤが正常であるとしてＳ４３に進み、そのまますべてのＲＬＤの点灯を継続してＳ４１に戻る。
【００７９】
一方、電圧が所定値より低いＲＬＤがあれば、システム制御部１は、実施例１のＳ３と同様に、そのＲＬＤに異常が生じたものとみなしてＳ４４に進む。
【００８０】
Ｓ４４では、システム制御部１は、実施例１のＳ４と同様に、駆動電流算出部３に、異常ＲＬＤに隣接配置されている正常ＲＬＤに供給する駆動電流として、異常ＲＬＤが発生する前よりも減少させた駆動電流を算出させる。なお、システム制御部１は、駆動電流算出部３を通じて、異常ＲＬＤに供給する駆動電流を０に設定させる。
【００８１】
次にＳ４５では、システム制御部１は、駆動電流算出部３に、Ｂ光源５ｂａ，５ｂｂ，５ｂｃに供給する駆動電流を算出させる。この際、駆動電流算出部３は、保存されている隣接配置されている異常ＲＬＤの数に応じて駆動電流を調整するパラメータまたはＲＬＤに供給する駆動電流と、Ｂ光源５ｂａ，５ｂｂ，５ｂｃの電圧、温度および累積点灯時間等と用いてＢ光源５ｂａ，５ｂｂ，５ｂｃに供給する駆動電流を算出する。具体的には、異常ＲＬＤが発生する前よりも減少させた駆動電流を算出する。すなわち、Ｒ光源５ｒｄの発光量の低下量と同等の低下量をＢ光源５ｂａ，５ｂｂ，５ｂｃからの発光量に生じさせる。これにより、異常ＲＬＤの発生に対して正常ＲＬＤの発光量を低下させることによる光源装置からの出射光の色の変化を抑制することができる。
【００８２】
次にＳ４６では、システム制御部１は、Ｓ４４およびＳ４５で算出された駆動電流を光源駆動部４を通じてＲ光源５ｒｄおよびＢ光源５ｂａ，５ｂｂ，５ｂｃに供給する。そして、システム制御部１は、Ｓ４３を介してＳ４１に戻る。
【００８３】
本実施例でも、異常ＲＬＤを検出した場合には、正常ＲＬＤに供給する駆動電流を減少させてその発光量を低下させることで、正常ＲＬＤにおけるＣＯＤの発生を抑制することができる。しかも、Ｂ光源５ｂａ，５ｂｂ，５ｂｃに供給する駆動電流も減少させることで、光源装置からの出射光、つまりはプロジェクタから投射される画像の色の変化を抑制することができる。
【実施例６】
【００８４】
次に、本発明の実施例６について説明する。実施例６のプロジェクタの構成は、実施例１のプロジェクタと同じである。図１０のフローチャートは、本実施例においてシステム制御部１が行う光源点灯処理を示している。
【００８５】
システム制御部１は、Ｓ５１において、実施例１のＳ２と同様に、Ｒ光源５ｒｄの複数のＲＬＤのそれぞれの電圧を検出する。
【００８６】
次にＳ５２では、システム制御部１は、実施例１のＳ２と同様に、複数のＲＬＤのうちいずれかの電圧が所定値より低いか否かを判定する。システム制御部１は、すべてのＲＬＤの電圧が所定値以上であれば、すべてのＲＬＤが正常であるとしてＳ５３に進み、そのまますべてのＲＬＤの点灯を継続してＳ５１に戻る。
【００８７】
一方、電圧が所定値より低いＲＬＤがあれば、システム制御部１は、実施例１のＳ３と同様に、そのＲＬＤに異常が生じたものとみなしてＳ５４に進む。
【００８８】
Ｓ５４では、システム制御部１は、実施例１のＳ４と同様に、駆動電流算出部３に、異常ＲＬＤに隣接配置されている正常ＲＬＤに供給する駆動電流として、異常ＲＬＤが発生する前よりも減少させた駆動電流を算出させる。なお、システム制御部１は、駆動電流算出部３を通じて、異常ＲＬＤに供給する駆動電流を０に設定させる。
【００８９】
次にＳ５５では、システム制御部１は、Ｓ５４で算出された駆動電流を光源駆動部４を介して正常ＲＬＤに供給する。
【００９０】
そしてＳ５６では、光変調制御手段としてのシステム制御部１は、Ｓ５４で算出された正常ＲＬＤの駆動電流に応じて、光変調部２８Ｒ，２８Ｇ，２８Ｂの変調パラメータを変更する。異常ＲＬＤが発生し、かつ正常ＲＬＤの駆動電流を減少させることで光源装置から出射するＲ光が減少すると、プロジェクタからの投射画像における赤の強度が低下し、投射画像の色バランスが変化する。このため、本実施例では、このような投射画像の色の変化を補正するように光変調部２８Ｒ，２８Ｇ，２８Ｂの変調パラメータを変更することで、投射画像の色を調整する。
【００９１】
具体的には、Ｒ光が不足するため、Ｂ光用光変調部２８ＢとＧ用光変調部２８Ｇの階調を下げて、投射画素を形成するＲ光、Ｇ光およびＢ光のバランスを調整する。階調を下げる方法としては、外部からの入力映像信号のうちＲとＢの色成分の映像信号（映像データ）に１倍未満のゲインをかける方法や、ＲとＢの色成分の映像信号（映像データ）をテーブルデータ（例えば、γテーブルデータ）で変換する方法を用いることができる。
【００９２】
この後、システム制御部１は、システム制御部１は、Ｓ５３を介してＳ５１に戻る。
【００９３】
本実施例でも、異常ＲＬＤを検出した場合には、正常ＲＬＤに供給する駆動電流を減少させてその発光量を低下させることで、正常ＲＬＤにおけるＣＯＤの発生を抑制することができる。しかも、正常ＲＬＤの発光量の低下による投射画像の色の変化を抑制することができる。
【実施例７】
【００９４】
Ｂ光源５ｂａ，５ｂｂ，５ｂｃとＲ光源５ｒｄの配置は、図１、図４および図６に示したようにすべてが同じ方向を向くに配置に限らず、図１１に示すような直交配置であってもよい。具体的には、Ｂ光源５ｂａ，５ｂｂからの光がガラス板７０に設けられた反射部７１で反射し、Ｂ光源５ｂｃとＲ光源５ｒｄからの光がガラス板７０のうち反射部７１以外の部分を透過してＢ光源５ｂａ，５ｂｂからの光と合成されるようにしてもよい。
【００９５】
また、前述した各実施例では、Ｂ光を発する半導体レーザとＲ光を発する半導体レーザを用いたが、Ｇ光を発する半導体レーザを組み合わせてもよい。
【００９６】
また、前述した各実施例では、蛍光体１６が回転する場合について説明したが、必ずしも蛍光体が回転しなくてもよい。蛍光体は、各実施例のような反射型ではなく、透過型であってもよい。
【００９７】
また、前述した各実施例では、光変調部としてデジタル駆動式の反射型液晶表示素子を用いた場合について説明したが、アナログ駆動式の反射型液晶表示素子や透過型液晶表示素子を用いてもよいし、デジタルマイクロミラーデバイスを用いてもよい。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００９８】
以上説明した各実施例は代表的な例にすぎず、本発明の実施に際しては、各実施例に対して種々の変形や変更が可能である。
【符号の説明】
【００９９】
１  システム制御部
３  駆動電流算出部
５ｂａ，５ｂｂ，５ｂｃ  青（Ｂ）光源
５ｒｄ  赤（Ｒ）光源
【図１】
2020034614.tif 000003
【図２】
2020034614.tif 000004
【図３】
2020034614.tif 000005
【図４】
2020034614.tif 000006
【図５】
2020034614.tif 000007
【図６】
2020034614.tif 000008
【図７】
2020034614.tif 000009
【図８】
2020034614.tif 000010
【図９】
2020034614.tif 000011
【図１０】
2020034614.tif 000012
【図１１】
2020034614.tif 000013